(57)【要約】  アンカー固定ユニット（４１、４４）は歯科インプラント（５）に嵌合する。アンカー固定ユニットに装着するための歯科アタッチメント（３１、３２）は、第１のアタッチメント部（３１）および第２のアタッチメント部（３２）を備える。アタッチメント部（３１、３２）は、アンカー固定ユニットの一部（４４）を収容するための開口（２４）を規定し、アタッチメント部の各々の開口（２４）の境界壁は、使用時にアンカー固定ユニットの一部を締付けるための顎として作用する。開口はアンカー固定ユニットの一部よりもサイズが大きいため、アンカー固定ユニットに対してアタッチメントの位置の調整が可能となる。別の実施例では、二部のアンカー固定アセンブリが、使用時に歯科アタッチメントの一部を受けて締付けるための１対の顎を規定する。この装置は、１つよりも多いインプラントに同時にアタッチメントを配置しなければならない場合に特に関連する。
2010508099.tif 000002
【特許請求の範囲】
【請求項１】
歯科インプラントに嵌合するための歯科アタッチメントアセンブリであって、
歯科インプラントに嵌合するためのアンカー固定ユニットと、
前記アンカー固定ユニットに装着するための歯科アタッチメントとを備え、
前記歯科アタッチメントは、前記アンカー固定ユニットの一部を収容するための開口を規定する第１のアタッチメント部および第２のアタッチメント部を備え、前記アタッチメント部の各々の前記開口の境界壁は、使用時に前記アンカー固定ユニットの前記一部を締付けるための顎として作用する、歯科アタッチメントアセンブリ。
【請求項２】
前記開口は前記アンカー固定ユニットの前記一部よりもサイズが大きく、それによって前記アンカー固定ユニットに対して前記アタッチメントの位置の調整を可能にする、請求項１に記載の歯科アタッチメントアセンブリ。
【請求項３】
前記開口は前記アンカー固定ユニットの前記一部よりも幅が広く、それによって少なくとも横方向における調整を可能にする、請求項２に記載の歯科アタッチメントアセンブリ。
【請求項４】
前記開口の少なくとも径方向に最も外側の領域は、前記アンカー固定ユニットの前記一部よりも高さが大きく、それによって角度方向における調整を可能にする、請求項２または３に記載の歯科アタッチメントアセンブリ。
【請求項５】
前記開口はまた、前記アタッチメントの外面を前記開口に接続して前記インプラントへの接触を可能にする中央のシャフトも有する、請求項２から４のいずれか１つに記載の歯科アタッチメントアセンブリ。
【請求項６】
前記アンカー固定ユニットは、使用時に前記アタッチメント部が締付け可能な径方向に延在するフランジを有する、先行する請求項のいずれか１つに記載の歯科アタッチメントアセンブリ。
【請求項７】
前記第１および第２のアタッチメント部をともに固定するための少なくとも１つの取付具をさらに備える、先行する請求項のいずれか１つに記載の歯科アタッチメントアセンブリ。
【請求項８】
前記アンカー固定ユニットは、前記歯科インプラントに嵌合するための第１のアンカー固定要素、および前記第１のアンカー固定要素に嵌合するための第２のアンカー固定要素を備え、
前記第１および第２のアンカー固定要素は、使用時に互いに対してある範囲の異なる長手方向のずれを有して固定されるように適合される、先行する請求項のいずれか１つに記載の歯科アタッチメントアセンブリ。
【請求項９】
前記第２のアンカー固定要素は、使用時に前記第１および第２のアタッチメント部が締付け可能な径方向に延在するフランジを備える、請求項８に記載の歯科アタッチメントアセンブリ。
【請求項１０】
前記第２のアンカー固定要素は、前記第１のアンカー固定要素内に嵌合するように適合される、請求項８または９に記載の歯科アタッチメントアセンブリ。
【請求項１１】
前記第２のアンカー固定要素は、前記第１のアンカー固定要素の外面の周りに嵌合するように適合される、請求項８または９に記載の歯科アタッチメントアセンブリ。
【請求項１２】
前記第１のアンカー固定要素は、回転可能な接続によって前記第２のアンカー固定要素に接続可能である、請求項８または９に記載の歯科アタッチメントアセンブリ。
【請求項１３】
前記第１のアンカー固定要素は、ヘッドを有するシャフトを備え、
前記第２のアンカー固定要素は、前記ヘッドを受け、かつ使用時に前記第１のアンカー固定要素に対して前記第２のアンカー固定要素の回転を可能にするためのソケットを備える、請求項１２に記載の歯科アタッチメントアセンブリ。
【請求項１４】
第２のアンカー固定ユニットは、径方向に延在するフランジを有するヘッドを備える、請求項８から１１のいずれか１つに記載の歯科アタッチメントアセンブリ。
【請求項１５】
前記ヘッドは凸状の上面を有する、請求項１４に記載の歯科アタッチメントアセンブリ。
【請求項１６】
使用時に前記アタッチメントが締付け可能な第３のアンカー固定要素をさらに備え、
前記第２のアンカー固定要素は、使用時に前記第３のアンカー固定要素に対して回転可能である、請求項８に記載の歯科アタッチメントアセンブリ。
【請求項１７】
前記第３のアンカー固定要素は、凹状の上面を有する環状要素であり、
前記第２のアンカー固定要素は、凸状の下面を有するヘッドを有し、
前記第２のアンカー固定要素の前記ヘッドは前記第３のアンカー固定要素に嵌合する、請求項１６に記載の歯科アタッチメントアセンブリ。
【請求項１８】
前記アンカー固定ユニットは、前記インプラントの接続部に係合するための取付具を受けるためのチャネルを備える、先行する請求項のいずれか１つに記載の歯科アタッチメントアセンブリ。
【請求項１９】
前記アンカー固定ユニットの周りに嵌合し、かつ前記アンカー固定ユニットと前記アタッチメント部の１つとの間を封止するための封止物をさらに備える、先行する請求項のいずれか１つに記載の歯科アタッチメントアセンブリ。
【請求項２０】
前記第１のアタッチメント部と前記第２のアタッチメント部との間の界面は、前記アタッチメントの長手方向軸と実質的に平行である、先行する請求項のいずれか１つに記載の歯科アタッチメントアセンブリ。
【請求項２１】
少なくとも１つの歯科インプラントが嵌合されることになる治療箇所において用いるための歯科インプラント穴開けテンプレートであって、
インプラントの位置を規定する孔と、
治療箇所に面したテンプレートの側に位置する、先行する請求項のいずれか１つに記載の前記アタッチメント部の１つを収容するための凹部とを備える、歯科インプラント穴開けテンプレート。
【請求項２２】
前記孔は、インプラントおよびインプラントに嵌合するためのアンカー固定要素を収容するのに十分な径を有する、請求項２１に記載の歯科インプラント穴開けテンプレート。
【請求項２３】
使用時、歯科インプラントに嵌合されたアンカー固定ユニットの一部の周りを締付けるように適合される第１のアタッチメント部および第２のアタッチメント部を備える、先行する請求項のいずれか１つに記載の前記アセンブリにおいて用いるための歯科アタッチメント。
【請求項２４】
歯科インプラントに歯科アタッチメントを固定するためのアンカー固定アセンブリであって、
歯科インプラントのヘッドに嵌合するための第１のアンカー固定要素と、
前記第１のアンカー固定要素に嵌合するための第２のアンカー固定要素とを備え、
前記第１および第２のアンカー固定要素は、使用時に歯科アタッチメントの一部を受けて締付けるための１対の顎をともに規定する、アンカー固定アセンブリ。
【請求項２５】
前記第１および第２のアンカー固定要素は、使用時に前記アンカー固定アセンブリの長手方向軸に沿って互いに対してある範囲の異なるずれを有して固定されるように適合される、請求項２４に記載のアンカー固定アセンブリ。
【請求項２６】
請求項２４または２５に記載のアンカー固定アセンブリと、所望のインプラント箇所に対応する開口を有する歯科アタッチメントとの組合せであって、
前記アンカー固定要素の前記顎は内径ｄminおよび外径ｄmaxを有し、前記アタッチメントの開口の径はｄminからｄmaxの範囲にあり、それによってある量の横方向の調整を提供する、組合せ。
【請求項２７】
少なくとも１つの歯科インプラントが嵌合されることになる治療箇所において用いるための歯科インプラント穴開けテンプレートであって、
インプラントの位置を規定する孔と、
治療箇所に面したテンプレートの側に位置する、前記インプラントに嵌合されることになるアタッチメント部を収容するための凹部とを備える、歯科インプラント穴開けテンプレート。
【請求項２８】
治療箇所における少なくとも１つの歯科インプラントに歯科アタッチメントを嵌合させる方法であって、
歯科インプラントにアンカー固定ユニットを嵌合させるステップと、
前記アンカー固定ユニットの周りに第１のアタッチメント部および第２のアタッチメント部を締付けるステップとを備え、
前記第１および第２のアタッチメント部は、前記アンカー固定ユニットの一部を収容するための開口を規定し、前記アタッチメント部の各々の前記開口の境界壁は、前記アンカー固定ユニットの前記一部を締付けるための顎として作用する、方法。
【請求項２９】
穴開けテンプレートの凹部内にアタッチメント部を位置づける予備ステップと、
前記治療箇所に前記テンプレートを付ける予備ステップと、
前記インプラントを嵌合させる予備ステップと、
前記テンプレートを取外し、前記治療箇所に前記アタッチメント部を残す予備ステップとをさらに備える、請求項２８に記載の方法。
【請求項３０】
前記アタッチメント部は前記第１のアタッチメント部であり、
位置づけるステップは、前記第１のアタッチメント部を、前記治療箇所に面することになる前記穴開けテンプレートの側における前記テンプレートの前記凹部内に位置づけるステップを含む、請求項２９に記載の方法。
【請求項３１】
治療箇所における少なくとも１つの歯科インプラントに歯科アタッチメントを嵌合させる方法であって、
歯科インプラントにアンカー固定ユニットを嵌合させるステップと、
前記アンカー固定ユニットの周りに第１のアタッチメント部および第２のアタッチメント部を締付けて所望の嵌合を達成するステップとを備え、
前記第１および第２のアタッチメント部は、前記アンカー固定ユニットの一部を収容するための開口を規定し、前記アタッチメント部の各々の前記開口の境界壁は、前記アンカー固定ユニットの前記一部を締付けるための顎として作用し、前記方法はさらに、
前記第１のアタッチメント部およびアンカー固定ユニットを、前記所望の嵌合を達成した前記第１のアタッチメント部およびアンカー固定ユニットの相対位置と一致する単一の部分と取替えるステップを備える、方法。
【請求項３２】
歯科アタッチメントを構成する方法であって、
アンカー固定ユニットの周りに第１のアタッチメント部および第２のアタッチメント部を締付けるステップを備え、
前記第１および第２のアタッチメント部は、前記アンカー固定ユニットの一部を収容するための開口を規定し、前記アタッチメント部の各々の前記開口の境界壁は、前記アンカー固定ユニットの前記一部を締付けるための顎として作用する、方法。
【発明の詳細な説明】
【技術分野】
【０００１】
発明の分野
本発明は、患者の顎に植込まれた歯科インプラントに歯科ブリッジまたは他の義歯などの歯科アタッチメントを固定すること、ならびに歯科アタッチメントの構成および使用方法に関する。本発明は、１つよりも多いインプラントに同時にアタッチメントを配置しなければならない場合に特に関連する。
【背景技術】
【０００２】
発明の背景
患者の顎骨に植込まれたインプラントに歯科ブリッジまたは他の義歯などの歯科アタッチメントを固定することが知られている。アタッチメントは、インプラントが顎骨に配置された後に、またはインプラントが顎骨に配置される前に製作され得る。
【０００３】
インプラントを患者に装着した後にアタッチメント（たとえばブリッジ）を製作する場合、典型的に口の印象を取って、顎および互いに対するインプラントの場所を確定する。そのような場合、アタッチメントのサイズおよび形状をある程度正確に計画することが可能であり、アタッチメントはインプラントに対してほとんど遊びがないように設計される。いくらかの限られた調整が、アタッチメントの凹部およびインプラント上部のアンカー固定要素（アバットメントとしても公知）によって与えられ得る。インプラントにアタッチメントを嵌合させる際、アタッチメントの凹部の内面およびアバットメントの外面にセメントを塗布して、これらの部分同士の間のいずれの遊びも克服する。セメントまたはセメント状の薬剤は、硬化に関連した問題を提起し得る。ほとんどのセメントの種類は非常に急速に硬化するため、硬化プロセス時にブリッジの正確かつ永久的な位置を達成することが困難である。また、セメントは患者の口内での取り扱い（たとえば、使用すべきセメントの正確な量を確定すること）が困難であり得、復元箇所が汚れる原因となり得る。
【０００４】
いわゆる「即時負荷（immediate loading）」のために、インプラントの装着前にアタッチメントを設計および製作する場合、アタッチメントとインプラントとの間の遊びの量はかなり多きくなり得る。予想されるインプラント位置についての情報は、インプラント計画システム（ベルギーのMaterialise NVのSimPlant（商標）など）からもたらされることになる。インプラント計画システムによって、臨床医が、患者のデジタル情報（たとえばＣＴ、画像）を示すコンピュータ環境においてインプラントの最適な位置を確定することができる。インプラント計画を用いてアタッチメントを設計および製作することができ、手段（たとえばベルギーのMaterialise NVのSurgiGuide（商標）などの外科用テンプレート）を用いて計画を患者に移す。装着後のインプラントとアタッチメントとの間の遊びは、ブリッジの製作公差、ならびにインプラント計画のための医療画像化および計画を患者に移す外科プロセスに固有の不正確さに依存する。典型的に、遊びは横方向（近遠心または頬舌方向として公知）において０から０．５ｍｍの範囲にあり、縦方向（歯根端−歯冠方向として公知）において０から０．５ｍｍの範囲にあり、角度方向（インプラント箇所を通る垂直軸の周りの回転）において０から５°の範囲にあることになる。たとえば、二段階の処置が用いられ得る。インプラントを装着し、この外科的介入の数週間後に術後状況の印象を取る。印象コーピングを用いて、口内のインプラントの正確な位置を石膏モデルに移す。このモデルに埋込まれたインプラント複製によって、歯科技師が、患者の顎のインプラントにぴったりと嵌合する義歯を製作することができる。この方策の不利な点は、インプラントの装着前に義歯を作製できないことである。
【０００５】
インプラントとアタッチメントとの間にある程度の調整を与えるためのさまざまな提案
がなされている。国際特許出願ＷＯ０３／０６１５１２には、長手方向に延在する凹んだ壁を有する歯科アタッチメントが記載されている。インプラントは、アタッチメントの凹んだ壁の内部に嵌合可能な長手方向に延在する部分であって、自身のこの部分に対して相対的に長手方向にずれてアタッチメントをアンカー固定するように拡張可能な部分を有する。拡張可能な構成部品の使用には、拡張状態において、（たとえば径方向において）拡張した構成部品のフランジ同士の間に凹部が存在するという不利な点がある。これらの凹部は、細菌が入り込んで場合によっては治療の後の段階で感染を引起し得る場所である。さらに、拡張可能なアバットメントを使用すると、摩擦によって負荷がインプラントに伝えられる。このため、患者が歯を食いしばるとアタッチメントが緩んでしまうという問題を引起こし得る。
【０００６】
国際特許出願ＷＯ２００５／０５３５６４には、横方向の位置ずれを克服するためのシステムが記載されている。アタッチメントのアンカー固定部は留めネジ用の孔を備え、留めネジのネックはアンカー固定部の孔より小さい。国際特許出願ＷＯ９２／０３９８４には、歯科アタッチメントをアンカー固定して、ブリッジとインプラントとの間の遊びの角度的な偏りを克服するための装置が記載されている。
【発明の概要】
【発明が解決しようとする課題】
【０００７】
上記解決策の各々では、単一方向（長手、横または角度）におけるインプラントに対するアタッチメントの調整しか可能でない。
【課題を解決するための手段】
【０００８】
発明の要約
本発明の目的は、歯科ブリッジまたは他の義歯などの歯科アタッチメントを、患者の顎に植込まれ得る、もしくは植込まれた歯科インプラントに固定する方法、および／またはその歯科インプラント、ならびに歯科アタッチメントの構成および使用方法を提供することである。本発明は、先行技術の方法および装置の問題の少なくとも１つを低減または克服しようと努めるものである。
【０００９】
本発明の第１の局面は、歯科インプラントに嵌合するための歯科アタッチメントアセンブリであって、歯科インプラントに嵌合するためのアンカー固定ユニットと、アンカー固定ユニットに装着するための歯科アタッチメントとを備え、歯科アタッチメントは、アンカー固定ユニットの一部を収容するための開口を規定する第１のアタッチメント部および第２のアタッチメント部を備え、アタッチメント部の各々の開口の境界壁は、使用時にアンカー固定ユニットの一部を締付けるための顎として作用する歯科アタッチメントアセンブリを提供する。
【００１０】
本発明は、１つよりも多いインプラントに同時にアタッチメントを配置しなければならない場合に特に関連する。アタッチメントとは、少なくとも２つのインプラントを接続することが意図され、かつこれらのインプラントに（たとえば咀嚼の結果としての）負荷を伝えるために用いられるいずれかの構造（使用材料にかかわらず規則的または不規則な断面を有する）を意味する。アンカー固定ユニットに歯科アタッチメントを締付けることによって、これらの部分同士の間に固定された接続が与えられ、セメントおよび拡張可能な部分の問題が回避される。締付のさらなる利点は、アタッチメント部の１つが機能（すなわち耐力）部分であり得、アタッチメント部の第２の部分が審美部分であり得ることである。アタッチメントの２つの部分の接続をネジ以外の手段（たとえば歯科のボタンのようなもの）によって行なう場合、ネジの緩みと称されるよくある問題を回避することができる。ネジの緩みは、インプラントに義歯を取付けるために用いられる小さなネジが緩んで、それによってインプラント上の義歯の座りが不安定になると起こる。
【００１１】
アンカー固定ユニットの一部をアタッチメント中に突出させる利点は、アタッチメントのサイズを小さくできることであり、これは、空間上の制限および拮抗筋との機能的関係のため口内で有利である。
【００１２】
好ましくは、第１のアタッチメント部と第２のアタッチメント部との間の界面は、アタッチメントの長手方向軸と実質的に平行である（たとえば、アタッチメントは患者の歯茎のすぐ上の下側アタッチメント部と上側アタッチメント部とに分割されている）。これによって、アンカー固定ユニットとアタッチメント部との嵌合が非常に容易になり、上側アタッチメント部（典型的に義歯を有する）を下側アタッチメント部に部分的に重ねることによって、アタッチメント部同士の間の界面を隠すことができる。また、いくつかの実施例では、下側アタッチメント部をうまく患者に嵌合させた後に上側アタッチメント部を製作することができる。したがって、下部がインプラントのセットにうまく嵌合しないことがわかった場合、アタッチメント全体を取替える必要がなく下側アタッチメント部のみを修正するか取替えるだけでよい。一般に、即時負荷用の義歯は典型的に最終的な義歯とはならない。本発明のこの実施例の利点の１つは、義歯全体ではなく義歯の一部のみを再び製作するだけでよいのでコストが減少することである。下側アタッチメントは、インプラントが嵌合されることになる治療箇所に面した穴開けテンプレートの側に位置する凹部内に収容され得る。これによってインプラントを下側アタッチメント部を介して嵌合させることができ、それによって嵌合を向上させることができる。
【００１３】
好ましくは、開口はアンカー固定ユニットの一部よりもサイズが大きく、それによってアンカー固定ユニットに対してアタッチメントの位置の調整を可能にする。たとえば、開口はアンカー固定ユニットの一部よりも幅が広く、それによって少なくとも横方向における調整を可能にし得る。
【００１４】
好ましくは、アンカー固定ユニットは、使用時に互いに対してある範囲の異なる長手方向のずれを有して固定されるように適合される第１および第２のアンカー固定要素を備え、それによってある量の長手方向の（歯根端−歯冠の）調整を提供する。
【００１５】
角度方向におけるアンカー固定ユニットに対するアタッチメントの位置の調整は、アタッチメントの開口の好適なサイズによって収容され得る。代替的に、アンカー固定ユニットの部分同士の間に回転可能な接続が与えられ得る。
【００１６】
本発明の第２の局面は、歯科インプラントに歯科アタッチメントを固定するためのアンカー固定アセンブリであって、歯科インプラントのヘッドに嵌合するための第１のアンカー固定要素と、第１のアンカー固定要素に嵌合するための第２のアンカー固定要素とを備え、第１および第２のアンカー固定要素は、使用時に歯科アタッチメントの一部を受けて締付けるための１対の顎をともに規定するアンカー固定アセンブリを提供する。
【００１７】
本発明の両局面は、インプラントにアタッチメントを固定する問題に対する解決策であり、アタッチメントとアンカー固定ユニットとの間を締付けるという特徴が共通していることが理解されるであろう。
【００１８】
なお、アタッチメントとインプラントとの間の遊びは計画され得る（たとえば、患者にインプラントを配置する前に歯科アタッチメントが設計される場合）か、または計画され得ない（たとえば、アタッチメントの製作公差に起因する遊び）。アタッチメントは、顎骨にインプラントが配置された後に、または顎骨にインプラントが配置される前に製作され得る。
【００１９】
アタッチメントは、テンプレートの凹部内に位置し得る。アタッチメントは１片のみであり得る。
【００２０】
本発明はまた、治療箇所における少なくとも１つの歯科インプラントに歯科アタッチメントを嵌合させる方法であって、歯科インプラントにアンカー固定ユニットを嵌合させるステップと、アンカー固定ユニットの周りに第１のアタッチメント部および第２のアタッチメント部を締付けるステップとを備え、第１および第２のアタッチメント部は、アンカー固定ユニットの一部を収容するための開口を規定し、アタッチメント部の各々の開口の境界壁は、アンカー固定ユニットの一部を締付けるための顎として作用する方法も提供する。
【００２１】
この方法は、穴開けテンプレートの凹部内にアタッチメント部を位置づける予備ステップと、治療箇所にテンプレートを付ける予備ステップと、インプラントを嵌合させる予備ステップと、テンプレートを取外し、治療箇所にアタッチメント部を残す予備ステップとを含み得る。
【００２２】
本発明はまた、治療箇所における少なくとも１つの歯科インプラントに歯科アタッチメントを嵌合させる方法であって、歯科インプラントにアンカー固定ユニットを嵌合させるステップと、アンカー固定ユニットの周りに第１のアタッチメント部および第２のアタッチメント部を締付けて所望の嵌合を達成するステップとを備え、第１および第２のアタッチメント部は、アンカー固定ユニットの一部を収容するための開口を規定し、アタッチメント部の各々の開口の境界壁は、アンカー固定ユニットの一部を締付けるための顎として作用し、さらに、第１のアタッチメント部およびアンカー固定ユニットを、所望の嵌合を達成した第１のアタッチメント部およびアンカー固定ユニットの相対位置と一致する単一の部分と取替えるステップを備える方法も提供する。
【００２３】
添付の図面を参照して、例示的にのみ本発明の実施例を説明する。
【図面の簡単な説明】
【００２４】
【図１】二部のアンカー固定ユニットがアタッチメントの周りを締付ける、本発明の第１の実施例を示す図である。
【図２】異なる方向における調整のための図１の装置の使用を示す図である。
【図３】二部のアタッチメントがアンカー固定ユニットの周りを締付ける、本発明の第２の実施例を示す図である。
【図４ａ】異なる方向における調整のための図３の装置の使用を示す図である。
【図４ｂ】異なる方向における調整のための図３の装置の使用を示す図である。
【図４ｃ】異なる方向における調整のための図３の装置の使用を示す図である。
【図５】アンカー固定ユニットが３つの部分を備える、本発明の第３の実施例を示す図である。
【図６】本発明の第４の実施例を示す図である。
【図７】本発明の第５の実施例を示す図である。
【図８】患者に嵌合させるための外科用テンプレートおよびインプラントアセンブリを示す図である。
【図９】図８の外科用テンプレートをより詳細に示す図である。
【図１０】インプラントが装着された後のテンプレートを示す図である。
【図１１】インプラントに嵌合されたアンカー固定ユニットの一部を示す図である。
【図１２】インプラントに嵌合されたアンカー固定ユニットの第２の部分を示す図である。
【図１３】嵌合された上側アタッチメント部（義歯）、およびインプラントに嵌合されたアンカー固定ユニットの構成部品を示す図である。
【図１４】アンカー固定ユニットとアタッチメントとの間の封止を示す図である。
【図１５】嵌合時に用いられる下側アタッチメント部およびアンカー固定ユニットと、結果として生じる最終的な下側アタッチメント部との比較を示す図である。
【図１６】歯肉側からの本発明の実施例に係るテンプレートを示す図である。
【図１７】本発明の実施例に係る骨合成ネジを用いた下側アタッチメントの一時的な取付を示す図である。
【発明を実施するための形態】
【００２５】
好ましい実施例の説明
本発明は特定の実施例に関して一定の図面を参照して説明されるが、本発明はそれらに限定されず、請求項によってのみ限定される。示される図面は概略的なものに過ぎず、非限定的である。図面では、説明のためいくつかの要素のサイズが誇張されていたり、同じ縮尺で描かれていないことがある。「備える」という用語が本明細書および請求項で用いられる場合、これは他の要素または工程を排除しない。また、明細書および請求項中の第１、第２、第３などの用語は同様の要素同士を区別するために用いられており、必ずしも連続的または時間的順序を説明するために用いられているとは限らない。そのように用いられる用語は適切な状況下で相互交換可能であり、ここに説明される本発明の実施例はここに説明または図示されるのとは別の順序で動作可能であることを理解すべきである。図１は本発明の第１の実施例を示す。歯科インプラント５が患者の顎骨に埋込まれている。アタッチメント（たとえば歯科ブリッジ）１は、アタッチメント１が歯科インプラント５に嵌合される必要がある領域に開口２を備える。アタッチメントという用語は、少なくとも２つのインプラントを接続することが意図され、かつこれらのインプラントに（たとえば咀嚼の結果としての）負荷を伝えるために用いられるいずれかの構造（使用材料にかかわらず規則的または不規則な断面を有する）を意味する。
【００２６】
アタッチメント１は、開口２を部分的に横切って突出して階段状の端縁領域を形成するフランジ３を有する。二部のアンカー固定ユニット１０、１４は、アタッチメント１をインプラント５に固定する。アンカー固定ユニットは、第１の下部１０および第２の上部１４を備える。下部１０は、取付ネジのシャフト６ｂを収容するための中央の開口を有するつば１２を有する。使用時、部分１０のつば１２は、ネジヘッド６ａによってインプラント５の接続部にしっかりと係合する。図１では、部分１０が、アバットメント７に接して保持されているのに加えて、インプラント５の頂部にも載っていることが示される。部分１０はインプラントと良好に嵌合して、細菌が界面に入り込む可能性を最小限に抑えることが望ましい。この例では、部分７はインプラント５に一体化した部分である。しかし、本発明では多くの種類のインプラント設計が用いられ得る。部分７は、たとえば外部の六角接続であってもよい。他のインプラント設計では、接続は内部にあり得る。
【００２７】
部分１０は、径方向に延在する表面１５を有するつばを有する。表面１５は使用時、アタッチメント１のフランジ３に接続するための顎として作用する。アンカー固定ユニットの上部１４は部分１０内に嵌合し、界面１１によって部分１０および１４が（方向２１において）互いに所望の位置に固定され得る。界面１１は、部分１０、１４を所望の位置にきつく保持することができるネジ山、留め具、または別の連結装置を備え得る。部分１４の内径は、ネジヘッド６ａが内部を通過できるように、ヘッド６ａの外径より大きい。部分１４は、径方向に延在する表面の形態の顎１６を有する。使用時、顎１５、１６は、アタッチメント１のフランジ３を掴んでアタッチメント１をインプラント５にきつく固定するための締付具として作用する。
【００２８】
必要であれば、アンカー固定ユニットの部分１０、１４とアタッチメント１との間にシリコンＯリングなど（図示せず）を位置決めして、開口２の適切な封止を確実なものにしてもよい。アタッチメント１は、金属、炭素繊維強化プラスチック、セラミックなどの歯
科補綴物に好適ないずれかの材料から製作され得る。アタッチメント１は最終的または一時的な歯科復元物のいずれか一方であり得、補綴仕上げを有し得る（たとえばポーセレンを有する金属アタッチメントの場合）か、または有し得ない（たとえばオーバーデンチャー用の金属棒の場合）。
【００２９】
図１に示される装置によって、いくつかの異なる方向における調整が可能となる。３つの方向２１、２２、２３が示される。方向２１は、インプラントの長手方向軸２６と平行であるため、軸または長手方向と呼ぶことにする。これは歯根端−歯冠方向としても公知である。方向２２は、インプラントの径方向にあり、かつ患者の歯茎の表面を横方向に横切るように変化しているため、横または径方向と呼ぶことにする。この方向は、近遠心（口の左右）または頬舌（前後）方向としても公知である。方向２３は、インプラントの長手方向軸２６に対する角度回転を表わすため、角度方向と呼ぶことにする。頬舌、近遠心、歯根端−歯冠という用語は当該技術において周知である。
【００３０】
アンカー固定ユニットの部分１０は、内面において界面１１を支持する円筒形のシャフト１７を有する。シャフト１７の外径（ｄmin）は、アタッチメント１の開口２の径（ｄapert）より小さい。顎１５の外径（ｄmax）は、開口２の径（ｄapert）より大きい。このため、アタッチメントを表面１５によって確実に締付けることができつつ、ある量の隙間９がシャフト１７とアタッチメント１との間に与えられる。同様に、アンカー固定ユニットの上部１４の外径はアタッチメント１の開口２の径（壁４によって規定される径）より小さいため、ある量の隙間が与えられる。上記の隙間により、アタッチメント１をインプラント５に対して位置決めする際に、横方向２２におけるある量の調整が可能となる。また上記の隙間により、垂線に対して傾斜したある角度をなして嵌合されたインプラント５にアタッチメント１を固定することも可能となる。フランジ３の上面は傾斜している。このため、界面１１を支持するシャフト１７の長さを大幅に増加させることなく部分１４を傾斜させることができる。
【００３１】
図２は、箇所２０１、２０２、２０３における３つのインプラントのセットに嵌合するアタッチメント２０４の例を示す。インプラント箇所の各々において、二部のアンカー固定ユニットがアタッチメントに接続する。本発明の説明のため、３つのアンカー固定ユニットの各々は、上記３つの考えられる調整方向の異なる１つの方向における調整を与えることが示される。アタッチメント２０４は、３つのインプラント箇所２０１、２０２、２０３によって与えられる締付作用の組合せによって固定される。インプラント箇所２０３では、アンカー固定ユニットはアタッチメント２０４が上向き方向に動くのを防止する。アタッチメントの下向き方向の動きは、箇所２０１、２０２におけるアンカー固定ユニットよって制限される。
【００３２】
図１では、アタッチメント１は開口２の領域に階段状の断面を有し、アタッチメント１の通常の深さと比較して浅くなった深さを（方向２１において）有するフランジ３が設けられる。この階段状の断面を設けるのは必須ではなく、アンカー固定ユニットの部分１０、１４はアタッチメントの上面および下面を締付けることができる。
【００３３】
図３は本発明の第２の実施例を示す。この実施例は、締付によってインプラントにアタッチメントを固定する図１と同一の原理を用いる。しかし、図３では、二部のアタッチメント３１、３２が、インプラント５に嵌合されたアンカー固定ユニット４１、４４の部分４４を締付ける。先と同様に、歯科インプラント５が患者の顎骨に埋込まれている。アタッチメント（たとえば歯科ブリッジ）は二部、すなわち下側アタッチメント部３１および上側アタッチメント部３２で形成される。２つのアタッチメント部３１、３２は、患者の顎の上面と実質的に平行であり、かつインプラントの長手方向軸２６に対して実質的に垂直な界面３４に沿って接合する。２つのアタッチメント部３１、３２は、取付ネジ３３な
ど（たとえば留め具）によってともに保持される。アタッチメント部は、アタッチメントが歯科インプラント５に嵌合される必要がある領域に開口２４、２５を規定する。開口は、アタッチメント部３２の上面をアタッチメント部３１の下面に接続する中央のシャフト２５を有する。シャフト２５は少なくとも取付ネジ６のヘッド６ａと同じ幅であり、インプラントへの接触を可能にするように作用する。界面３４の領域における開口の部分２４はより幅広であり、アンカー固定ユニットの一部を受けるためのチャンバを規定する。この実施例では、チャンバ２４は下側アタッチメント部３１内に位置する。チャンバ２４は、アンカー固定ユニットの部分４４のフランジヘッドを収容する。
【００３４】
下側アタッチメント部３１は、開口２４を部分的に横切って突出して階段状の端縁領域を形成するフランジ部３７を有する。フランジ部３７は、第１の顎として作用する上面３５を有する。上部３２は、第２の顎として作用する下面３６を有する。使用時、アタッチメント部３１、３２は、アンカー固定ユニットの部分４４のヘッドをきつく締付ける。チャンバ２４は、部分３１、３２が常に互いをきつく封止し、部分４４のヘッドを締付けるように設計される。チャンバ２４および部分４４のヘッドの形状は、これを促進するように設計される。フランジの上面３５は傾斜しているため、部分４４の回転が可能となる。部分４４のヘッドは、部分４４が傾斜するとヘッドがアタッチメントの上部３２との円形の線接触を維持しつつ開口内で自由に動くことができるように湾曲している。
【００３５】
アンカー固定ユニット４１、４４は、図１に関連して先に説明したのとほぼ同一である。上述のように、二部のアンカー固定ユニット４１、４４はインプラント５の接続部７に係合する。アンカー固定ユニットは、第１の下部４１および第２の上部４４を備える。下部４１は、取付ネジのシャフト６ｂを収容するための中央の開口を有するつば４３を有する。使用時、部分４１のつば４３は、ネジヘッド６ａによってインプラント５の接続部７にしっかりと係合する。アンカー固定ユニットの上部４４は部分４１内に嵌合し、界面４２は、方向２１において部分４１および４４を互いに所望の位置に固定する。
【００３６】
Ｏリング（たとえばシリコン）または他の封止要素４８がアンカー固定ユニットの部分４１の周りに嵌合し、アンカー固定ユニット４１の部分４１と下側アタッチメント３１との間を封止する。
【００３７】
図３に示される装置によって、いくつかの異なる方向における調整が可能となる。第１に、横方向２２における調整を考えてみる。部分４４の外周と下側アタッチメント部３１の壁３８との間に隙間（Ａ）がある。同様に、アンカー固定ユニットの部分４１の外径と下側アタッチメント部３１の表面３９との間に隙間がある（封止４８は可撓性を有する）。下側アタッチメント部３１は横方向２２に移動可能である。横方向の調整が最大限度に達するのは、部分４４のヘッドが壁３８に接したときである。図４ａは、横方向における調整を与えるためにどのように図３の装置が用いられ得るかを示す。
【００３８】
第２に、長手方向２１における調整を考えてみる。部分４１および４４は、界面４２を介して長手方向軸２６に沿って所望の位置に固定され得る。図３は長手方向における調整Ｂを示しており、Ｂの値は、部分４４のヘッドが部分４１に載るまで減少するか、または部分４１、４４のそれぞれのつばの何らかの最小限の部分的な重なりに達するまで増加するかのいずれか一方であり得る。アタッチメント３１、３２は部分４４に直接的に固定されるため、これによってアタッチメントがインプラント５上方の（方向２１における）所望の位置に位置決めされる。図４ｂは、長手方向における調整を与えるためにどのように図３の装置が用いられ得るかを示す。
【００３９】
第３に、角度方向２３における調整を考えてみる。部分３１、４１および４４は、この方向における多少の調整を可能とするように形作られる。下側アタッチメント部３１の表
面３９は、部分４１の動きを収容するように階段状の輪郭を有する。顎３５の傾斜した上面により、部分４４のヘッドが嵌合動作時に、所望の取付位置にまで顎に沿って摺動することが可能となる。下側アタッチメント部３１および上側アタッチメント部３２の開口によって形成されるチャンバ２４は、部分４４のヘッドを締付けることができると同時に、部分４４のヘッドを異なる角度位置で収容するのに十分な深さを有する。このチャンバ２４の深さおよび部分４４のヘッドの凸形状によって、部分４４を角度方向２３において操作することが可能となる。図４ｃは、角度方向における調整を与えるためにどのように図３の装置が用いられ得るかを示す。図４ｃでは、アタッチメント部３１、３２はともにしっかりと押付けられる。部分３１、３２がともにしっかりと留まり続けるために、顎３５は傾斜面を有して部分４４のヘッドを収容する。
【００４０】
アンカー固定ユニット４１の部分４１は、患者にインプラントを装着する前に、（たとえばフィクスチャー取付台の一部として）インプラント５のヘッドに嵌合され得る。
【００４１】
図５は、図３に示される実施例の変形例を示す。この実施例では、インプラント５をアタッチメント３１、３２に接続するアンカー固定ユニットは３つの部分５１、５２、５３を備える。先と同様に、アンカー固定ユニットは、インプラント５に装着可能な第１の部分５１、および長手方向において選択された片寄りを有して第１の部分５１内に嵌合する第２の部分５２を備える。部分５２の環状ヘッドは、凸状の下面５４を有する。アンカー固定ユニットの第３の部分５３は環状形状を有し、凹状の上面５５を有する。部分５２の表面５４および部分５３の表面５５は相補のサイズおよび形状を有するため、それぞれの部分５２、５３が必要な角度位置にまで互いに摺動することができる。部分５３の内径は部分５２の円筒体の外径より幅広であるため、ある量の角度のある動きが可能となる（図５は、装置が完全に反時計回りに回転して部分５２の円筒体が部分５３に当接しているのを示す）。二部のアタッチメント７１、７２は、アンカー固定ユニットの部分５３の周りを締付ける。図５は、部分７１および７２の各々が開口を有して空隙７５を設けて環状部５３を収容していることを示す。代替的に、開口は下側アタッチメント部７１にのみ存在してもよい。チャンバ７５は環状部５３の外径より幅広であるため、横方向２２における調整が可能となる。図５に示される装置は、角度のある向きにおいてアタッチメント７１、７２をインプラント５により固定して支持できるという利点を有する。チャンバ７５は部分５３の角度のある動きを収容する必要がないため、チャンバ７５は環状部５３と高さが同一であり、この収容は、アンカー固定ユニットの部分５２、５３同士の間の回転可能な接続によって達成される。部分５２および５３をともに取付ける必要はない。１つよりも多いインプラントに同時にアタッチメントが配置され次第、部分５２および５３は動くことができなくなる。なぜなら、これにはアタッチメントの角度のある動きが必要となり、これは他のインプラント上のアンカー固定ユニットによって阻止されることになるからである。
【００４２】
横方向における動きを達成するための別の方法は、ＷＯ２００５／０５３５６４に示されるように部分５１を修正することである。この場合、開口７５は部分５３と全く同じサイズであり得る。
【００４３】
図６および図７は、さまざまな角度のある向きにおいてインプラントにアタッチメントを固定するのに特に効果的な２つのさらなる実施例を示す。図６では、シャフト８１がインプラント５に装着されている。シャフト８１はボール形状のヘッド８２を有する。円板形状部８３は、ソケットとして作用する中央の孔８４を有する。孔８４はヘッド８２を収容するように、および円板８３とヘッド８２との間のある範囲の角度のある動きを可能とするようにサイズ決めされる。
【００４４】
二部のアタッチメント８６、８７は、円板８３の周りを締付ける。部分８３を保持する
ための空隙８８が、アタッチメント部８６、８７の一方または両方の開口によって与えられる。この空隙は好ましくは、ある量の横方向の調整を可能とするように円板８３より幅広である。シャフト８１は単一の装着位置でインプラント内に取付けることができるが、好ましくはシャフト８１は、ネジによる取付、または方向２１におけるある範囲の取付深さを可能とする他の好適な取付によって、インプラント５内の選択された深さで位置決めされ得る。
【００４５】
図７では、円筒部１０１がインプラント５のヘッドに装着され、取付ネジ６ａによってインプラントに固定される。円板形状部１０３は、部分１０１と１０３との間の界面１０２において、ネジ山または他の好適な取付によって部分１０１に沿って所望の位置に取付けられ得る。部分１０３の内径は、部分１０１の外径より若干大きい。アタッチメント部１１１、１１２は、中央のシャフトおよび左右のチャンバ１１４を有する全体的に十字架形状の内部空隙をともに規定する。左右チャンバ１１４の各々は、中央シャフトに接合する領域において細くなる。これらのより細い領域が、顎１１５ａ、１１５ｂ、１１６ａ、１１６ｂを規定する。図７に示される向きでは、顎１１５ａが部分１０３の下側を押し、顎１１６ｂが部分１０３の上側を押し、それによって部分１０３を締付ける。アタッチメント部１１１、１１２内の空隙は部分１０１、１０３より幅広であるため、横および角度方向における調整が可能となる。
【００４６】
上記の実施例の各々において、アンカー固定ユニットおよび／またはアタッチメントの締付表面には、アンカー固定ユニットとアタッチメントとの間の摩擦を大きくするための手段が与えられ得る。そのような手段はたとえば、締付けられる部分を上から押さえつける小さな歯、締付ける部分および締付けられる部分でそれぞれ互いに連結する細粒（粒）、またはそれぞれの表面に塗布される摩擦係数の高い材料（たとえばゴム）を備え得る。
【００４７】
図３〜図７に示される実施例の各々において、上側アタッチメント部３２は最終的な復元物の一部であり得るのに対して、下側アタッチメント部は一時的な復元物であり得る。
【００４８】
図８〜図１４は、患者の口内にインプラントを装着するため、およびインプラントにアタッチメントを嵌合させるためのプロセスの一連の工程を示す。図３の装置が一例として用いられるが、本発明の装置のいずれもこの方法において用いられ得る。図８に示される工程の前に、治療計画プロセスによって患者の口内のインプラントの位置を計画する。これは典型的に、型またはコンピュータ化されたスキャン処理を用いることによって患者の口をマッピングすることを含む。この計画プロセスの一部には、インプラントを装着するための箇所を選択することが含まれる。治療計画を患者の口に正確に移すことを助けるために、外科用テンプレート１２０が作られる。テンプレート１２０は図９により詳細に示される。外科用テンプレート１２０は患者の歯茎１２２にぴったりと嵌合する。テンプレート１２０は、インプラントが嵌合される必要がある位置と一致する孔１２１のセットを有する。テンプレート１２０はまた、二部のアタッチメントの下部３１を保持する。テンプレート１２０は、下側アタッチメント部３１と全く同じ形状を有する底部側（すなわち患者に係合する側）の空隙１２４に下側アタッチメント部３１を保持するように設計されるが、下を切取らないため、アタッチメントは依然として取外し可能である。テンプレート１２０の作製後、アタッチメント部は空隙１２４に挿入されるだけで所定の位置に装着され得る。テンプレート１２０が患者に位置決めされ次第、アタッチメント部３１はもはや動くことができなくなる。インプラント５は今や下側アタッチメント部３１を貫通することによって患者に嵌合しているため、即時取付が可能となる所定の位置にインプラント５が正確に配置され得る可能性が高まる。
【００４９】
外科用テンプレート１２０を患者に配置する前に、シリコンなどの不活性充填剤の薄層が下側アタッチメント部３１の下向き（すなわち歯肉）側に塗布される。このシリコン層
は、テンプレート１２０を患者に位置決めする際に軟組織とテンプレート１２０との間の如何なる間隙もふさぎ、下側アタッチメント部３１と患者の軟組織との間のスペーサとして作用する。テンプレートの各孔は、インプラントの正確な位置および傾斜を示すガイド管１２３によって規定される。インプラント５は孔１２１の１つを通って装着される。インプラント５のヘッドには、アンカー固定ユニットの第１の下部４１が取付けられる。インプラントおよび部分４１はともにインプラントホルダ１２５に装着され、インプラントホルダネジ１２６がアセンブリをひとまとめにしている。インプラントホルダ１２５は歯−溝接続１２７を介して部分４１に係合し、インプラント装着時にホルダ１２５に加えられるトルクを部分４１およびインプラント５に伝える。図１０を参照して、下側アタッチメント部３１は、患者の骨に取付けられ、かつこのために予め設けられた下側アタッチメント部３１の孔に係合するネジ１３０によって固定され得る。ネジ１３０はインプラントとは別個の取付具である。典型的に、感染の危険性を増加させない骨合成ネジが用いられる。
【００５０】
下側アタッチメント部３１を取付けることによって、外科用テンプレート１２０も取付けられる。口内でテンプレートを取扱うことによる手術中のテンプレート１２０の小さな移動は、もはや起こり得ない。外科用テンプレート１２０は下側アタッチメント部３１を保持するので、下側アタッチメント部３１を取付けると、テンプレート１２０を歯茎１２２上に安定させることにもなる。また、下側アタッチメント部３１を骨に取付けることによって、アタッチメント部３１自体を取外すことなくテンプレート１２０をその後容易に取外すことができる。
【００５１】
さらなる説明として、図１６に示されるように、下側アタッチメント３１はテンプレート１２０の凹部１２４内に配置され得る。下側アタッチメント３１が患者の口内の受入れ箇所に着座する前にテンプレートの処理中に抜け落ちないよう、たとえばシリコンなどの何らかの好適な保持充填材料４９が塗布され得る。アタッチメント３１が差入れられたテンプレート１２０が患者に正確に位置決めされると、いくつかの骨合成ネジ１３０がテンプレート１２０の孔を通して付けられ、骨合成ネジ１３０は下側アタッチメント３１を受入れ箇所にしっかりとロック固定する−図１７参照。こうして、アタッチメントだけでなくガイドも安定する。ガイドは実際、下側アタッチメントとの相互作用によってさらに安定する。しかし、骨合成ネジ１３０はアタッチメントに対して直接的に働くため、テンプレート自体は「ネジ留め」されていない。インプラントが装着されてインプラントホルダが取出されると、ガイドを取外すことができる。しかし、下側アタッチメント３１はネジ１３０のおかげで所定の位置に維持される。さらにこの介入とともに、下側アタッチメント３１はアンカー固定部によってアンカー固定される。この点で骨合成ネジ１３０が取外される。それを通って骨合成ネジ１３０が配置される下側アタッチメント３１の開口は次に、上側および下側アタッチメントをたとえば図３に示されるように接続することができる小さなネジ３３の受入れ箇所として機能するが、本発明の装置のいずれもこの方法において用いられ得る。
【００５２】
図１１は、顎に装着された１つのインプラントを示す。インプラントホルダ１２５およびテンプレート１２０は装着後に取外され、所定の位置に下側アタッチメント部３１を残す。インプラントホルダ１２５は一度に１つずつ取外され、インプラントホルダネジ１２６をフィクスチャーネジ６と取替えて、当接片４１をインプラント５の所定の位置にしっかりとロック固定する。図１１に見ることができるように、下側アタッチメント部３１の開口と当接片４１との間に隙間１３１がある。図１１および図１２に示される他のネジ孔は、上側および下側アタッチメント部をともに維持することになるネジ（３３、図３）を受けるためのものである。
【００５３】
アンカー固定ユニットの各々の第２の上部は当接片４１に取付けられる。図１２および
図１３に示されるように、第２の部分４４は、自身の外面に設けられたネジ山１３２を介して当接片４１に係合する（界面４２、図３）。第２の片４４は、図１２に見ることができるように、ネジ留めされて自身のヘッドが下側アタッチメント部３１と接触する。設計された遊びに対するインプラントの軸に沿った下側アタッチメント部３１との如何なる遊びも、アンカー固定ユニットの２つの片４１、４４をよりきつくまたはより緩くネジ留めすることによって補償される。下側アタッチメント部３１を顎骨に取付けるネジ１３０はその後取外される。上側アタッチメント部３２が次に下側アタッチメント部３１上に配置され、取付ネジ３３が嵌合され締められて、アタッチメント部３１、３２をアンカー固定ユニットに固く締付ける。この段階でネジ１３０を取外すことによって、下側アタッチメント部の位置の変化が防止される。所望の位置からの偏りは一般に、ネジ１３０を先立って取外す必要がないほど十分小さい。任意で、ネジを先立って（たとえばアンカー固定ユニットの第１の部分４１を嵌合させた直後に）取外すことによって、アタッチメント部３１をインプラントのセットに対して所定の位置に動かしてもよい。
【００５４】
この点で、アタッチメント３１、３２はインプラント５のセットに対して適切に位置決めされている。最終段階では、フィクスチャーネジ６を緩めることによって、アタッチメント部３１、３２およびアンカー固定ユニット４１、４４をインプラントから取外す。アタッチメント部３１、３２およびアンカー固定ユニットの部分４１、４４はすべて一緒に取り付けられているため、１つのユニットとして取外すことができる。フィクスチャーネジヘッド６ａのすぐ上のチャネル（２５、図３）によってネジヘッド６ａに接触することができる。アタッチメント部３１の下側と患者の歯茎との間に予め塗布されたシリコンは今や取外され、封止リング４８（図１４）がアンカー固定ユニット部に配置されてアンカー固定ユニット部と下側アタッチメント部３１との間の間隙を封止する。アタッチメント３１、３２およびアンカー固定ユニット４１、４４が次にインプラント５上に戻されて位置決めされ得、フィクスチャーネジ６で再び取付けられ得る。
【００５５】
ネジ留めされる義歯においては、ネジに接触可能でなければならない。アタッチメント部３２に審美的な仕上げ（たとえばポーセレン）を加えた後、孔は、必要であれば容易に取外し可能な構成部品で充填される。
【００５６】
図１５は代替的な最終段階を示す。アタッチメント部３１、３２およびアンカー固定ユニット４１、４４は、フィクスチャーネジ６を緩めることによってインプラントのセットから取外される。上側アタッチメント部３２はアセンブリの残りの部分から取外され、部分３１、４１、４４、４８の形状を有する図１５の最終部１５０が形成される。この新たな最終部１５０は上側アタッチメント部３２に固定され、次にインプラント５のセット上に配置され、再取付ネジ６によってインプラント５に固定される。この代替的な手法は、部分同士の間に間隙が全くない最終部１５０を作ることができるという利点を有する。これによって、歯茎に対するより良い封止を与えることができる。最終部１５０の形状は、治癒後の最終的なインプラント位置を、たとえば直接的にスキャンによって、または間接的にまずたとえば石膏ギブスなどの作業モデルに移してその後スキャンすることによって、設計環境に移すことによって確定される。インプラントの既知の位置およびアタッチメント上部の既知の寸法を考慮して、設計を正確に行うことができる。
【図１】
2010508099.tif 000003
【図２ａ−２ｃ】
2010508099.tif 000004
【図３】
2010508099.tif 000005
【図４ａ】
2010508099.tif 000006
【図４ｂ】
2010508099.tif 000007
【図４ｃ】
2010508099.tif 000008
【図５】
2010508099.tif 000009
【図６】
2010508099.tif 000010
【図７】
2010508099.tif 000011
【図８】
2010508099.tif 000012
【図９】
2010508099.tif 000013
【図１０】
2010508099.tif 000014
【図１１】
2010508099.tif 000015
【図１２】
2010508099.tif 000016
【図１３】
2010508099.tif 000017
【図１４】
2010508099.tif 000018
【図１５】
2010508099.tif 000019
【図１６】
2010508099.tif 000020
【図１７】
2010508099.tif 000021
【手続補正書】
【提出日】平成21年7月1日(2009.7.1)
【手続補正１】
【補正対象書類名】特許請求の範囲
【補正対象項目名】全文
【補正方法】変更
【補正の内容】
【特許請求の範囲】
【請求項１】
歯科インプラント（５）のアンカー固定ユニットに装着可能な歯科アタッチメントアセンブリであって、
アンカー固定ユニットの一部を収容するための開口を規定する第１のアタッチメント部（３１）および第２のアタッチメント部（３２）を備え、アタッチメント部の各々の開口の境界壁は、使用時にアンカー固定ユニットの一部を締付け可能な顎として作用し、
開口はアンカー固定ユニットの一部よりもサイズが大きく、それによってアンカー固定ユニットに対してアタッチメントの位置の調整を可能にし、前記歯科アタッチメントアセンブリはさらに、
歯科インプラントが嵌合されることになる治療箇所において用いるための、取外し可能な歯科インプラント穴開けテンプレートを備え、テンプレートは、インプラントの位置を規定する孔と、治療箇所に面したテンプレートの側に位置する、前記歯科アタッチメントアセンブリのアタッチメント部の１つを収容するための凹部とを備える、歯科アタッチメントアセンブリ。
【請求項２】
歯科アタッチメントアセンブリであって、
歯科インプラントと、
歯科インプラントに嵌合するためのアンカー固定ユニットと、
アンカー固定ユニットに装着するための請求項１に記載の歯科アタッチメントとを備える、歯科アタッチメントアセンブリ。
【請求項３】
開口はアンカー固定ユニットの一部よりも幅が広く、それによって少なくとも横方向における調整を可能にする、請求項２に記載の歯科アタッチメントアセンブリ。
【請求項４】
開口の少なくとも径方向に最も外側の領域は、アンカー固定ユニットの一部よりも高さが大きく、それによって角度方向における調整を可能にする、請求項２に記載の歯科アタッチメントアセンブリ。
【請求項５】
開口はまた、アタッチメントの外面を開口に接続してインプラントへの接触を可能にす
る中央のシャフトも有する、請求項２に記載の歯科アタッチメントアセンブリ。
【請求項６】
アンカー固定ユニットは、使用時にアタッチメント部が締付け可能な径方向に延在するフランジを有する、請求項２に記載の歯科アタッチメントアセンブリ。
【請求項７】
第１および第２のアタッチメント部をともに固定するための少なくとも１つの取付具をさらに備える、請求項２に記載の歯科アタッチメントアセンブリ。
【請求項８】
アンカー固定ユニットは、歯科インプラントに嵌合するための第１のアンカー固定要素、および第１のアンカー固定要素に嵌合するための第２のアンカー固定要素を備え、
第１および第２のアンカー固定要素は、使用時に互いに対してある範囲の異なる長手方向のずれを有して固定されるように適合される、請求項２に記載の歯科アタッチメントアセンブリ。
【請求項９】
第２のアンカー固定要素は、使用時に第１および第２のアタッチメント部が締付け可能な径方向に延在するフランジを備える、請求項８に記載の歯科アタッチメントアセンブリ。
【請求項１０】
第２のアンカー固定要素は、第１のアンカー固定要素内に嵌合するように適合される、請求項８に記載の歯科アタッチメントアセンブリ。
【請求項１１】
第２のアンカー固定要素は、第１のアンカー固定要素の外面の周りに嵌合するように適合される、請求項８に記載の歯科アタッチメントアセンブリ。
【請求項１２】
第１のアンカー固定要素は、回転可能な接続によって第２のアンカー固定要素に接続可能である、請求項８に記載の歯科アタッチメントアセンブリ。
【請求項１３】
第１のアンカー固定要素は、ヘッドを有するシャフトを備え、
第２のアンカー固定要素は、ヘッドを受け、かつ使用時に第１のアンカー固定要素に対して第２のアンカー固定要素の回転を可能にするためのソケットを備える、請求項１２に記載の歯科アタッチメントアセンブリ。
【請求項１４】
第２のアンカー固定要素は、径方向に延在するフランジを有するヘッドを備える、請求項８に記載の歯科アタッチメントアセンブリ。
【請求項１５】
ヘッドは凸状の上面を有する、請求項１４に記載の歯科アタッチメントアセンブリ。
【請求項１６】
使用時にアタッチメントが締付け可能な第３のアンカー固定要素をさらに備え、
第２のアンカー固定要素は、使用時に第３のアンカー固定要素に対して回転可能である、請求項８に記載の歯科アタッチメントアセンブリ。
【請求項１７】
第３のアンカー固定要素は、凹状の上面を有する環状要素であり、
第２のアンカー固定要素は、凸状の下面を有するヘッドを有し、
第２のアンカー固定要素のヘッドは第３のアンカー固定要素に嵌合する、請求項１６に記載の歯科アタッチメントアセンブリ。
【請求項１８】
アンカー固定ユニットは、インプラントの接続部に係合するための取付具を受けるためのチャネルを備える、請求項２に記載の歯科アタッチメントアセンブリ。
【請求項１９】
アンカー固定ユニットの周りに嵌合し、かつアンカー固定ユニットとアタッチメント部
の１つとの間を封止するための封止物をさらに備える、請求項２に記載の歯科アタッチメントアセンブリ。
【請求項２０】
第１のアタッチメント部と第２のアタッチメント部との間の界面は、アタッチメントの長手方向軸と実質的に平行である、請求項２に記載の歯科アタッチメントアセンブリ。
【請求項２１】
孔は、インプラントおよびインプラントに嵌合するためのアンカー固定要素を収容するのに十分な径を有する、請求項１に記載の歯科アタッチメントアセンブリ。
【請求項２２】
治療箇所における歯科インプラントに歯科アタッチメントを嵌合させる方法であって、
歯科インプラントにアンカー固定ユニットを嵌合させるステップと、
アンカー固定ユニットの周りに、前記歯科アタッチメントの第１のアタッチメント部および第２のアタッチメント部を配置するステップとを備え、第１および第２のアタッチメント部は、アンカー固定ユニットの一部を収容するための開口を規定し、アタッチメント部の各々の開口の境界壁は、アンカー固定ユニットの一部を締付けるための顎として作用し、前記方法はさらに、
アンカー固定ユニットに対して歯科アタッチメントの位置を調整するステップを備え、前記調整は、顎が前記一部に締付けられた状態で、開口がアンカー固定ユニットの一部よりもサイズが大きいために可能であり、前記方法はさらに、
アンカー固定ユニットの周りに第１および第２の部分を締付けて、歯科アタッチメントおよびアンカー固定ユニットの位置を互いに確定するステップを備える、方法。
【請求項２３】
第１のアタッチメント部およびアンカー固定ユニットを、所望の嵌合を達成した前記第１のアタッチメント部および前記アンカー固定ユニットの相対位置と一致する単一の部分と取替えるステップをさらに備える、請求項２２に記載の歯科アタッチメントを嵌合させる方法。
【請求項２４】
歯科インプラントが嵌合されることになる治療箇所において用いるための取外し可能な歯科インプラント穴開けテンプレートを嵌合させるステップをさらに備え、
テンプレートは、インプラントの位置を規定する孔と、治療箇所に面したテンプレートの側に位置する、前記歯科アタッチメントアセンブリのアタッチメント部の１つを収容するための凹部とを備える、請求項２２に記載の方法。
【手続補正書】
【提出日】平成21年9月24日(2009.9.24)
【手続補正１】
【補正対象書類名】明細書
【補正対象項目名】００３３
【補正方法】変更
【補正の内容】
【００３３】
図３は本発明の第２の実施例を示す。この実施例は、締付によってインプラントにアタッチメントを固定する図１と同一の原理を用いる。しかし、図３では、二部のアタッチメント３１、３２が、インプラント５に嵌合されたアンカー固定ユニット４１、４４の部分４４を締付ける。先と同様に、歯科インプラント５が患者の顎骨に埋込まれている。アタッチメント（たとえば歯科ブリッジ）は二部、すなわち下側アタッチメント部３１および上側アタッチメント部３２で形成される。２つのアタッチメント部３１、３２は、患者の顎の上面と実質的に平行であり、かつインプラントの長手方向軸２６に対して実質的に垂直な界面３４に沿って接合する。２つのアタッチメント部３１、３２は、取付ネジ３３など（たとえば留め具）によってともに保持される。アタッチメント部は、アタッチメントが歯科インプラント５に嵌合される必要がある領域に開口２４、２５を規定する。開口は、アタッチメント部３２の上面をアタッチメント部３１の下面に接続する中央の開口２５を有する。開口２５は少なくとも取付ネジ６のヘッド６ａと同じ幅であり、インプラントへの接触を可能にするように作用する。界面３４の領域における開口の部分２４はより幅広であり、アンカー固定ユニットの一部を受けるためのチャンバを規定する。この実施例では、チャンバ２４は下側アタッチメント部３１内に位置する。チャンバ２４は、アンカー固定ユニットの部分４４のフランジヘッドを収容する。
【国際調査報告】
2010508099.tif 000022
2010508099.tif 000023
2010508099.tif 000024
2010508099.tif 000025
2010508099.tif 000026
2010508099.tif 000027
2010508099.tif 000028
2010508099.tif 000029